(57)【特許請求の範囲】
【請求項１】
床面(16)にタイルやカーペット等の化粧シート(23)を敷設した床構造において、盲人に進路情報を与える点字鋲であり、化粧シート材の裏面に配置される固定具(3)と、化粧シート材の表面に配置される点字鋲本体(2)とから成り、固定具(3)と点字鋲本体(2)の相互に、化粧シート材(23)の挿入孔(24)を貫通して互いに嵌着される筒状ボス(5)と挿入突起(14)とからなる固定手段を設けた構成において、
前記固定具(3)は、床面(16)と化粧シート材(23)の間に配置される座部(13)の上面に周縁から中心に向けて上り勾配となる傾斜面(17)を形成し、
前記点字鋲本体(2)は、化粧シート材(23)の表面に配置される点字部(4)の下側面に周縁(8)を残して凹入する凹部(9)を形成しており、
前記筒状ボス(5)と挿入突起(14)からなる固定手段を介して点字鋲本体(2)と固定具(3)を相互に連結固定することにより点字部(4)と座部(13)により化粧シート材(23)を挟持したとき、化粧シート材(23)の挿入孔(24)に近傍する部位が前記傾斜面(17)に沿って上向きとされ前記凹部(9)に進入せしめられ、点字部(4)の周縁(8)が化粧シート材(23)の表面に圧接せしめられるように構成して成ることを特徴とする床用点字鋲。
【請求項２】
凹部(9)の内部にリブ(10)を設け、凹部(9)に進入した化粧シート材(23)に対して該リブ(10)が食い込むように構成して成ることを特徴とする請求項１に記載の床用点字鋲。
【請求項３】
床面(16)にタイルやカーペット等の化粧シート(23)を敷設した床構造において、盲人に進路情報を与える点字鋲であり、化粧シート材の裏面に配置される固定具(3)と、化粧シート材の表面に配置される点字鋲本体(2)とから成り、固定具(3)から起立するスリーブ(15)と点字鋲本体(2)から垂下するボス(5)により、化粧シート材(23)の挿入孔(24)を貫通して互いに嵌着される固定手段を設けた構成において、
前記点字鋲本体(2)は、前記ボス(5)の周囲において該点字鋲本体(2)の周縁(8)を残して凹入する凹部(9)を下側面に形成すると共に、該凹部(9)の内部で前記ボス(5)を周縁(8)に連結する径方向リブ(10)を放射状に設けており、
前記点字鋲本体(2)のボス(5)を固定具(3)のスリーブ(15)に嵌入した状態で、前記径方向リブ(10)をスリーブ(15)の先端に当接せしめるように構成されて成ることを特徴とする床用点字鋲。
【発明の詳細な説明】
【０００１】
【発明の属する技術分野】
本発明は、病院やホテル、その他の建造物における床、特に、床面にタイルやカーペット等の化粧シート材を敷設した床構造において、盲人に進路情報を与えるための点字鋲に関する。
【０００２】
【従来の技術】
従来、例えば、道路の横断歩道や、鉄道の駅構内に見られるような点字タイルが知られている。このような点字タイルは、合成樹脂により成形された矩形のタイル板から成り、タイル板の表面に所定の点字鋲を膨出するように一体成形せしめた構成とされ、タイル板の裏面全面を床面に対して接着剤で固着される。
【０００３】
【発明が解決しようとする課題】
近年、社会福祉の観点から、道路や駅のような危険区域に限らず、広く、病院やホテル、その他の建造物においても、盲人に進路情報を与えるための点字手段の設置が要望されている。
【０００４】
この点に関して、従来の点字タイルは、接着剤によりタイル板の全体を床面に接着せしめる構成であるため、建造物の内部に敷設すると、視力を有する者にとっては美観を損ねるという問題がある。
【０００５】
特に、建造物の床構造は、床面に塩ビのタイルや、タイル式カーペット等の化粧シート材を敷設し、美観に配慮しているのが一般的であるため、そこに従来のような点字タイルを貼り付けることは、著しく美観を損ない、好ましくない。また、カーペットの場合は、表面に繊維の毛羽立ちを有するため、接着剤により接着が困難であるという問題もある。
【０００６】
従って、床面にタイルやカーペット等の化粧シート材を敷設した床構造において、盲人に進路情報を与えるためには、個々の点字鋲を個別に固着する構成とすることにより、視覚に対して目立たないように配慮することが望ましい。然しながら、この場合、個々の点字鋲を化粧シート材に対してどのように固着せしめるかという問題を解決する必要があり、この点が重要な課題となる。
【０００７】
【課題を解決するための手段】
本発明は、上記課題を解決した床用点字鋲を提供するものであり、その第一の手段として構成したところは、床面にタイルやカーペット等の化粧シートを敷設した床構造において、盲人に進路情報を与える点字鋲であり、化粧シート材の裏面に配置される固定具と、化粧シート材の表面に配置される点字鋲本体とから成り、固定具と点字鋲本体の相互に、化粧シート材の挿入孔を貫通して互いに嵌着される筒状ボスと挿入突起とからなる固定手段を設けた構成において、前記固定具は、床面と化粧シート材の間に配置される座部の上面に周縁から中心に向けて上り勾配となる傾斜面を形成し、前記点字鋲本体は、化粧シート材の表面に配置される点字部の下側面に周縁を残して凹入する凹部を形成しており、前記筒状ボスと挿入突起からなる固定手段を介して点字鋲本体と固定具を相互に連結固定することにより点字部と座部により化粧シート材を挟持したとき、化粧シート材の挿入孔に近傍する部位が前記傾斜面に沿って上向きとされ前記凹部に進入せしめられ、点字部の周縁が化粧シート材の表面に圧接せしめられるように構成して成る点にある。
【０００８】
この際、凹部の内部にリブを設け、凹部に進入した化粧シート材に対して該リブが食い込むように構成することが好ましい。
【０００９】
また、本発明が第二の手段として構成したところは、床面にタイルやカーペット等の化粧シートを敷設した床構造において、盲人に進路情報を与える点字鋲であり、化粧シート材の裏面に配置される固定具と、化粧シート材の表面に配置される点字鋲本体とから成り、固定具から起立するスリーブと点字鋲本体から垂下するボスにより、化粧シート材の挿入孔を貫通して互いに嵌着される固定手段を設けた構成において、前記点字鋲本体は、前記ボスの周囲において該点字鋲本体の周縁を残して凹入する凹部を下側面に形成すると共に、該凹部の内部で前記ボスを周縁に連結する径方向リブを放射状に設けており、前記点字鋲本体のボスを固定具のスリーブに嵌入した状態で、前記径方向リブをスリーブの先端に当接せしめるように構成されて成る点にある。
【００１１】
【発明の実施の形態】
以下図面に基づいて本発明の好ましい実施形態を詳述する。
【００１２】
一般的に、盲人に進路情報を与える点字鋲１は、図１に示すように、細長く延びる点字鋲１ａと、円板状の点字鋲１ｂとの二種類に大別される。前者は、盲人に歩行進路を指示する誘導鋲であり、後者は、盲人に歩行停止を指示する警告鋲である。
【００１３】
（誘導鋲）
図２は、本発明により実施される誘導鋲の１実施形態を概観的に示しており、図２（Ａ）は、誘導鋲１ａを分解した状態で上側から見た斜視図、図２（Ｂ）は、誘導鋲１ａを上下反転した状態を示す斜視図である。点字鋲１ａは、それぞれ合成樹脂により一体成形された細長い点字鋲本体２ａと、円板状の固定具３ａとから成り、一個の点字鋲本体２ａと複数個（図例の場合は６個）の固定具３ａとを一組として構成されている。
【００１４】
点字鋲本体２ａは、後述するように化粧シート材の表面に膨出するように配置される点字部４ａと、点字部４ａから垂下する円筒形の筒状ボス５ａとを一体に備えており、図例の場合、点字部４ａの長手方向に等間隔をあけて６本の筒状ボス５ａを設けている。図２（Ａ）に示すように、点字部４ａの上側周面には、傘状に傾斜するように斜面６ａが形成され、該斜面６ａにより囲まれた頂面には、四角錐状に突出する突起群から成るダイヤモンド模様を表す粗面７ａが形成されている。図２（Ｂ）に示すように、点字部４ａの下側面は、周縁８ａから上側面の斜面６ａとほぼ平行となる斜面を周面として凹入する凹部９ａが形成されており、該凹部９ａの内部に、筒状ボス５ａを周縁８ａに連結する径方向リブ１０ａと、筒状ボス５ａ、５ａを相互に連結するセンターリブ１１ａと、径方向リブ１０ａ、１０ａを相互に連結するサイドリブ１２ａを設けている。尚、図示のように筒状ボス５ａの先端は、周縁８ａを越えて突出せしめられている。
【００１５】
固定具３ａは、後述するように床面と化粧シート材の間に配置される円形の薄板状の座部１３ａと、座部１３ａの中心から起立する円柱形の挿入突起１４ａと、座部１３ａから起立して前記挿入突起１４ａの周囲を同心状に囲繞するスリーブ１５ａとを一体に備えている。尚、スリーブ１５ａは、挿入突起１４ａよりも背が低くなるように形成されている。
【００１６】
（警告鋲）
図３は、本発明により実施される警告鋲の１実施形態を概観的に示しており、図３（Ａ）は、警告鋲１ｂを分解した状態で上側から見た斜視図、図３（Ｂ）は、警告鋲１ｂを上下反転した状態を示す斜視図である。点字鋲１ｂは、それぞれ合成樹脂により一体成形された円板状の点字鋲本体２ｂと、円板状の固定具３ｂとから成り、一個の点字鋲本体２ｂと一個の固定具３ｂとを一組として構成されている。
【００１７】
点字鋲本体２ｂは、後述するように化粧シート材の表面に膨出するように配置される円形の点字部４ｂと、点字部４ｂの下面中心から垂下する円筒形の筒状ボス５ｂとを一体に備えている。図３（Ａ）に示すように、点字部４ｂの上側周面には、傘状に傾斜するように斜面６ｂが形成され、該斜面６ｂにより囲まれた頂面には、四角錐状に突出する突起群から成るダイヤモンド模様を表す粗面７ｂが形成されている。図３（Ｂ）に示すように、点字部４ｂの下側面は、周縁８ｂから上側面の斜面６ｂとほぼ平行となる斜面を周面として凹入する凹部９ｂが形成されており、該凹部９ｂの内部に、筒状ボス５ｂを周縁８ｂに連結する径方向リブ１０ｂが放射状に設けられている。尚、図示のように筒状ボス５ｂの先端は、周縁８ｂを越えて突出せしめられている。
【００１８】
固定具３ｂは、後述するように床面と化粧シート材の間に配置される円形の薄板状の座部１３ｂと、座部１３ｂの中心から起立する円柱形の挿入突起１４ｂと、座部１３ｂから起立して前記挿入突起１４ｂの周囲を同心状に囲繞するスリーブ１５ｂとを一体に備えている。尚、スリーブ１５ｂは、挿入突起１４ｂよりも背が低くなるように形成されている。
【００１９】
（誘導鋲と警告鋲に共通する実施例構成）
以下、カーペット用として実施する本発明の第１実施例を図４に基づいて説明し、塩ビのタイル用として実施する本発明の第２実施例を図５に基づいて説明するが、何れの実施例においても、基本的構成は、誘導鋲１ａと警告鋲１ｂに共通のものであるから、図２及び図３に示した符号から「ａ」及び「ｂ」を除去した共通符号を使用することにより説明する。
【００２０】
図４に示す第１実施例及び図５に示す第２実施例の何れにおいても、点字鋲１を構成する固定具３は、座部１３がスリーブ１５の周囲から周縁に向けて下り勾配となる傾斜面１７を形成している。
【００２１】
点字鋲本体２の筒状ボス５は、固定具３の挿入突起１４とスリーブ１５の間に形成された環状溝１８に嵌入される構成とされている。筒状ボス５の内周面と挿入突起１４の外周面との間においては、筒状ボス５の内周面に設けた突条１９が挿入突起１４の外周面に設けた突条２０を乗り越えて外嵌せしめられる構成とされている。また、筒状ボス５の外周面とスリーブ１５の内周面との間においては、相互にアンダーカット状に設けられたテーパ面２１、２２により密嵌せしめられる構成とされている。即ち、筒状ボス５の外周面には、下端の外径Ｄ１と上端の外径Ｄ２がＤ２＜Ｄ１となるテーパ面２１が形成され、スリーブ１５の内周面には、上端の内径ｄ１と下端の内径ｄ２がｄ１＜ｄ２となるテーパ面２２が形成されている。
【００２２】
固定具３を化粧シート材２３の裏面に配置すると共に、点字鋲本体２を化粧シート材２３の表面に配置し、化粧シート材２３に設けた挿入孔２４を介して、点字鋲本体２の筒状ボス５を固定具３の環状溝１８に嵌入することにより、点字鋲本体２が固定具３に連結固定され、化粧シート材２３を挟持する。化粧シート材２３に対して個々の点字鋲１を取付けることにより、図１に示したような一連の誘導鋲１ａと警告鋲１ｂの組合せ等から成る進路案内のための点字手段が形成される。
【００２３】
固定具３を化粧シート材２３の裏面に配置する関係上、新規な化粧シート材２３の場合は、裏面に固着具３を装着した状態で床面１６に敷設された後、表面から点字鋲本体２を装着される。或いは既設の化粧シート材２３の場合は、めくり上げた状態で裏面に固着具３を装着し、再び床面１６に戻して敷設した後、表面から点字鋲本体２を装着される。この場合、固着具３を装着するための挿入孔２４をパンチ等の工具により化粧シート材２３に穿孔する際、挿入孔２４の内径Ｄｚがスリーブ１５の外径ｄｚに対して、Ｄｚ＝ｄｚとなるか、或いは、Ｄｚ≒ｄｚ（但しＤｚ＜ｄｚ）となるように形成される。従って、化粧シート材２３の裏面から固着具３のスリーブ１５を挿入孔２４に挿入したとき、スリーブ１５の外周面が挿入孔２４の内周面に摩擦係合する係合手段２５を構成し、化粧シート材２３を床面１６に敷設する前に固着具３が脱落することを防止する。
【００２４】
（第１実施例）
図４に示す第１実施例が適用される床構造は、床面１６に敷設された化粧シート材２３がタイル式カーペット等のカーペット２６により構成されており、カーペット２６は、ベースシート部２６ａの表面に織物層又は起毛層から成る化粧層２６ｂを有している。
【００２５】
点字鋲１は、固定具３における座部１３の直径Ｄｘと、点字鋲本体２における点字部４の直径又は幅Ｄｙを、Ｄｘ≒Ｄｙ（但しＤｘ＜Ｄｙ）となるように形成されている。固定具３の座部１３から突出するスリーブ１５の高さＨｘは、カーペット２６の全体の厚みＴ１とベースシート部２６ａの厚みＴ２に対して、Ｔ２＜Ｈｘ＜Ｔ１となるように形成されている。また、点字鋲本体２の凹部９から突出する筒状ボス５の高さＨｙは、カーペット２６の全体の厚みＴ１に対して、Ｈｙ＝Ｔ１又はＨｙ≒Ｔ１となるように形成されている。
【００２６】
上述したように、スリーブ１５を挿入孔２４に挿入した状態で固定具３をカーペット２６の裏面に配置し、カーペット２６の表面から点字鋲本体２の筒状ボス５を固定具３の環状溝１８に嵌入すると、筒状ボス５の内周面と挿入突起１４の外周面が相互に突条１９、２０を乗り越えて嵌着せしめられ、これにより第一の固定手段を構成する。また、筒状ボス５の外周面とスリーブ１５の内周面が相互にテーパ面２１、２２により嵌着せしめられ、これにより第二の固定手段を構成する。従って、カーペット２６を床面１６に敷設した状態において、外力の影響により、筒状ボス５が環状溝１８から抜き出される虞れはなく、点字鋲本体２がカーペット２６から脱落する危険はない。因みに、この取付状態において、図４（Ａ）に明示するように、点字鋲本体２の径方向リブ１０が固定具３のスリーブ１５に当接せしめられる。
【００２７】
図４（Ａ）に示すように、床面１６とカーペット２６の間に介装される固定具３の座部１３は、可及的に肉厚を薄く形成され、しかも、座部１３に傾斜面１７を形成しているので、点字鋲１の周囲においてカーペット２６が上方に膨れ上がることはない。カーペット２６の挿入孔２４に近傍する部位は、座部１３の傾斜面１７に沿って緩やかに上向きとなるが、化粧層２６ｂを点字鋲本体２の凹部９に進入せしめることにより吸収され、点字鋲本体２の周縁８を化粧層２６ｂに食い込ませる。凹部９に進入した化粧層２６ｂには、凹部９の内部に形成された径方向リブ１０が食い込む。従って、筒状ボス５を中心として固定具３に対して回転可能な円板状の点字鋲本体２を形成した警告鋲１ｂの場合においても、化粧層２６ｂに食い込む径方向リブ１０により回転が阻止されるので、回転に伴う摩耗や疲労等により筒状ボス５が環状溝１８から抜き出される虞れはなく、点字鋲本体２がカーペット２６から脱落する危険はない。
【００２８】
（第２実施例）
図５に示す第２実施例が適用される床構造は、床面１６に敷設された化粧シート材２３が塩ビ等の床タイル２７により構成されており、肉厚Ｔ３を上述したカーペット２６の肉厚Ｔ１よりも薄く形成されている。
【００２９】
点字鋲１は、固定具３における座部１３の直径Ｄｘと、点字鋲本体２における点字部４の直径又は幅Ｄｙを、Ｄｙ／Ｄｘが１．３〜１．８（図例の場合は１．６）となるように形成されている。固定具３の座部１３から突出するスリーブ１５の高さＨｘは、床タイル２７の厚みＴ３に対して、Ｈｘ＝Ｔ３又はＨｘ≒Ｔ３となるように形成されている。また、点字鋲本体２の凹部９から突出する筒状ボス５の高さＨｙは、床タイル２７の厚みＴ３に対して、Ｈｙ＝Ｔ３又はＨｙ≒Ｔ３となるように形成されている。
【００３０】
上述したように、スリーブ１５を挿入孔２４に挿入した状態で固定具３をカーペット２６の裏面に配置し、カーペット２６の表面から点字鋲本体２の筒状ボス５を固定具３の環状溝１８に嵌入すると、筒状ボス５の内周面と挿入突起１４の外周面が相互に突条１９、２０を乗り越えて嵌着せしめられ、これにより第一の固定手段を構成する。また、筒状ボス５の外周面とスリーブ１５の内周面が相互にテーパ面２１、２２により嵌着せしめられ、これにより第二の固定手段を構成する。従って、カーペット２６を床面１６に敷設した状態において、外力の影響により、筒状ボス５が環状溝１８から抜き出される虞れはなく、点字鋲本体２がカーペット２６から脱落する危険はない。
【００３１】
図５（Ａ）に示すように、床面１６と床タイル２７の間に介装される固定具３の座部１３は、図４に示した第１実施例の場合よりも相当に小径に形成され、しかも、座部１３に傾斜面１７を形成しているので、点字鋲１の周囲において床タイル２７が上方に膨れ上がることはない。床タイル２７の挿入孔２４に近傍する部位は、座部１３の傾斜面１７に沿って緩やかに上向きとなるが、点字鋲本体２の周縁８の内側に位置すると共に、凹部９により吸収され、点字鋲本体２の周縁８を床タイル２７の表面に圧接せしめる。従って、周縁８の外周領域からは、床タイル２７の表面がフラットな平坦面とされる。尚、スリーブ１５の周囲において上向きに傾斜せしめられた床タイル２７の挿入孔２４の周縁に対して、凹部９の内部に形成したた径方向リブ１０を食い込ませるように構成しておけば、筒状ボス５を中心として固定具３に対して回転可能な円板状の点字鋲本体２を形成した警告鋲１ｂの場合においても、挿入孔２４に食い込む径方向リブ１０により回転を阻止することが可能になるので、回転に伴う摩耗や疲労等により筒状ボス５が環状溝１８から抜き出される虞れはなく、点字鋲本体２が床タイル２７から脱落する危険を防止できる。
【００３２】
【発明の効果】
本発明によれば、床面１６に床タイル２７やカーペット２６等の化粧シート材２３を敷設した床構造において、盲人に進路情報を与えるための誘導鋲１ａや警告鋲１ｂが、個々の点字鋲１として個別に固着される構成であるから、従来の点字タイルのように美観を損ねることはない。
【００３３】
そして、点字鋲１は、化粧シート材２３の裏面に配置した固定具３の挿入突起１４と、化粧シート材２３の表面に配置した点字鋲本体２の筒状ボス５を、化粧シート材２３を貫通して相互に嵌着する構成であるから、化粧シート材２３に挿入孔２４を穿孔するだけで、所望の配列レイアウトとした点字情報を容易に得ることができる。
【００３４】
特に、請求項１に記載の本発明によれば、筒状ボス５と挿入突起１４を介して連結した点字部４と座部１３により化粧シート材２３を挟持した取付固定状態において、化粧シート材２３の挿入孔２４に近傍する部位が座部１３の傾斜面１７に沿って上向きとされ、しかも、点字部４の下側面の凹部９に進入されるので、点字部４の周縁８を化粧シート材２３の表面に圧接せしめることができるという効果がある。
この際、請求項２に記載の本発明によれば、凹部９に向けて上向きに傾斜せしめられた化粧シート材２３の挿入孔２４の周縁に対して径方向リブ１０を食い込ませることができるという効果がある。
そして、請求項３に記載の本発明によれば、ボス５とスリーブ１５をを介して連結した点字部４と座部１３により化粧シート材２３を挟持した取付固定状態において、点字鋲本体２の径方向リブ１０がスリーブ１５に当接せしめられるので、点字鋲本体２がボス５の周囲において下方からスリーブ１５により支持されるという効果がある。
【図面の簡単な説明】
【図１】点字鋲の配列レイアウトの１例を示す斜視図である。
【図２】本発明により実施される誘導鋲の１実施形態を概観的に示しており、（Ａ）は誘導鋲を分解した状態で上側から見た斜視図、（Ｂ）は誘導鋲を上下反転した状態を示す斜視図である。
【図３】本発明により実施される警告鋲の１実施形態を概観的に示しており、（Ａ）は警告鋲を分解した状態で上側から見た斜視図、（Ｂ）は警告鋲を上下反転した状態を示す斜視図である。
【図４】カーペットに装着可能とした点字鋲の第１実施例を示しており、（Ａ）は取付状態を示す断面図、（Ｂ）は分解状態を示す断面図である。
【図５】床タイルに装着可能とした点字鋲の第１実施例を示しており、（Ａ）は取付状態を示す断面図、（Ｂ）は分解状態を示す断面図である。
【符号の説明】
１    点字鋲
１ａ  誘導鋲
１ｂ  警告鋲
２    点字鋲本体
３    固定具
４    点字部
５    筒状ボス
６    斜面
８    周縁
９    凹部
１０    径方向リブ
１３    座部
１４    挿入突起
１５    スリーブ
１６    床面
１７    傾斜面
１８    環状溝
１９、２０  突条
２１、２２  テーパ面
２３    化粧シート材
２４    挿入孔
２５    係合手段
２６    カーペット
２７    床タイル
【図１】
0003632916.tif 000002
【図２】
0003632916.tif 000003
【図３】
0003632916.tif 000004
【図４】
0003632916.tif 000005
【図５】
0003632916.tif 000006